(57)【要約】【課題】既設のエレベータに対しても、大幅な改造を要することなく、安価に、短期間で、美観を損ねることなく、エレベータホールと昇降路との間の気密性を高めて火災発生時における昇降路の煙突化を防止することができるエレベータのホールドア装置を提供する。【解決手段】エレベータホール１の乗降口３を開閉するドアパネル４ａと、ドアパネル４ａのドアロック装置を手動で操作するための操作具Ｍを差し込むために前記ドアパネル４ａに形成された操作孔６とを有するホールドア装置において、前記ドアパネル４ａの前面に、前記操作孔６を開閉する蓋体８をピン９を介して回動可能に取り付ける。通常時には、操作孔６を前記蓋体８で密閉し、エレベータホールから昇降路への空気の流通を遮断する。ドアロック装置を手動で解除する際には、前記蓋体８を回動して操作孔６を開放し、その操作孔６に操作具Ｍを差し込んでその操作を行なう。【選択図】    図１
2005096920.tif 000002
【特許請求の範囲】
【請求項１】
エレベータホールの乗降口を開閉するドアパネルと、
前記ドアパネルのドアロック装置を手動で操作するための操作具を差し込むために前記ドアパネルに形成された操作孔と、
前記操作孔を開閉可能に密閉する蓋体と、
を具備することを特徴とするエレベータのホールドア装置。
【請求項２】
前記蓋体は、前記ドアパネルの前面に沿う方向に回動可能に設けられ、その回動動作で前記操作孔が開閉されることを特徴とする請求項１に記載のエレベータのホールドア装置。
【請求項３】
前記蓋体は、前記ドアパネルの前面でかつその前面に対して起伏する方向に回動可能に設けられ、その回動動作で前記操作孔が開閉されることを特徴とする請求項１に記載のエレベータのホールドア装置。
【請求項４】
前記蓋体は、前記ドアパネルの背面でかつその背面に対して起伏する方向に回動可能に設けられ、その回動動作で前記操作孔が開閉されることを特徴とする請求項１に記載のエレベータのホールドア装置。
【請求項５】
前記蓋体は、前記操作孔に脱着可能に嵌合され、その脱着により前記操作孔が開閉されることを特徴とする請求項１に記載のエレベータのホールドア装置。
【発明の詳細な説明】
【技術分野】
【０００１】
この発明は、建屋のエレベータホールの乗降口に設けられるホールドア装置に関する。
【背景技術】
【０００２】
図５に示すように、建屋のエレベータホール１の壁面には、三方枠２を備える乗降口３が設けられ、この乗降口３にホールドア装置４が設けられている。ホールドア装置４は、例えば中央両開き式の一対のドアパネル４ａを備え、通常時にはそのドアパネル４ａにより乗降口３が閉鎖されていて、昇降路内を昇降する乗りかごが当該エレベータホール１に着床してその乗りかごのかごドア装置が開放する動作に連動して開放される。
【０００３】
ホールドア装置４には、通常時にそのドアパネル４ａをロックして閉鎖状態を保持するドアロック装置５が設けられている。このドアロック装置５は、乗りかごが当該エレベータホール１に着床する際にその乗りかごに設けられている解除機構を介して解除され、また乗りかごが当該エレベータホール１から離れる際に施錠され、安全が図られる。
【０００４】
ホールドア装置４のドアパネル４ａには、通称かぎ穴と呼ばれる操作孔６が形成されていて、エレベータの保守点検時や停電等の非常時にエレベータホール１側から前記操作孔６に解除操作具Ｍを差し込み、この操作具Ｍを操作して手動で前記ドアロック装置５のロックを解除し、ホールドア装置４のドアパネル４ａを手動で開放して昇降路内へ入り込むことができるようになっている。
【０００５】
ところで、前記操作孔６は、ドアパネル４ａの前面側から背面側に貫通しており、このためエレベータホール１で火災が発生したときに、その煙が前記操作孔６を通して昇降路内に流入し、昇降路が煙を上昇させる煙突として働き、火勢を強めてしまう恐れがある。
【０００６】
このため、従来においては、既設のエレベータに対し、三方枠２の前方側に、火災発生時に収納状態から展開してホールドア装置４を含む三方枠２の前面側全体を覆うスクリーンを設け、このスクリーンでエレベータホール１側から昇降路内への煙の流入を防止する防災装置を増設したり、ドアパネル４ａを含む乗降口用品を気密性の高い構造品に交換するようにしている。
【発明の開示】
【発明が解決しようとする課題】
【０００７】
しかしながら、スクリーン式の防災装置を増設したり、ドアパネルを含む乗降口用品を気密性の高い構造品に交換するような手段では、大幅な改造が必要でコストが嵩み、またその工事によりエレベータの停止期間が長引き、工事中には騒音や振動が発生し、さらにスクリーン式の場合にはその巻取り収納用品を三方枠の前面部に設けることになるためエレベータホールから見たときの美観が損なわれてしまうという問題がある。
【０００８】
この発明はこのような点に着目してなされたもので、その目的とするところは、既設のエレベータに対しても、大幅な改造を要することなく、安価に、短期間で、また美観を損ねることなく、エレベータホールと昇降路との間の気密性を高めて火災発生時における昇降路の煙突化を防止することができるエレベータのホールドア装置を提供することにある。
【課題を解決するための手段】
【０００９】
請求項１の発明は、エレベータホールの乗降口を開閉するドアパネルと、前記ドアパネルのドアロック装置を手動で操作するための操作具を差し込むために前記ドアパネルに形成された操作孔と、前記操作孔を開閉可能に密閉する蓋体とを具備することを特徴としている。
【００１０】
請求項２の発明は、請求項１の蓋体が、前記ドアパネルの前面に沿う方向に回動可能に設けられ、その回動動作で前記操作孔が開閉されることを特徴としている。
【００１１】
請求項３の発明は、請求項１の蓋体が、前記ドアパネルの前面でかつその前面に対して起伏する方向に回動可能に設けられ、その回動動作で前記操作孔が開閉されることを特徴としている。
【００１２】
請求項４の発明は、請求項１の蓋体が、前記ドアパネルの背面でかつその背面に対して起伏する方向に回動可能に設けられ、その回動動作で前記操作孔が開閉されることを特徴としている。
【００１３】
請求項５の発明は、請求項１の蓋体が、前記操作孔に脱着可能に嵌合され、その脱着により前記操作孔が開閉されることを特徴としている。
【発明の効果】
【００１４】
この発明によれば、既設のエレベータに対しても、大幅な改造を要することなく、安価に、短期間で、また美観を損ねることなく、エレベータホールと昇降路との間の気密性を高めて火災発生時における昇降路の煙突化を防止することができる。
【発明を実施するための最良の形態】
【００１５】
以下、この発明の実施の形態について図１ないし図４を参照して説明する。なお、図５に示す従来の構成と対応する部分には同一符号を付してその重複する説明を省略する。
【００１６】
図１には第１の実施形態を示してあり、操作孔６が形成されたドアパネル４ａには、エレベータホールに向く前面に蓋体８が設けられている。
【００１７】
この蓋体８は、例えばゴム、合成樹脂、金属等からなる円板状をなし、操作孔６を覆うようにピン９を介して回動可能にドアパネル４ａに取り付けられている。この蓋体８はドアパネル４ａの前面に密着し、通常時にはこの蓋体８により図１（Ａ）に示すように、操作孔６が密閉されている。
【００１８】
このように、ドアパネル４ａの操作孔６を蓋体８で密閉することにより、エレベータホールと昇降路との間の気密性を高めることができ、したがってエレベータホールで火災が発生した際の煙がエレベータホールから昇降路内に流入して火勢を強めてしまうような事態を避けることができる。
【００１９】
一方、保守点検時や停電等の非常時に、手動でドアロック装置を解除してドアパネル４ａを開くときには、図１（Ｂ）に示すように蓋体８をピン９を中心にドアパネル４ａの前面に沿うように上方に回動して操作孔６を開放する。そして、エレベータホール側から前記操作孔６に解除操作具Ｍを差し込み、この操作具Ｍでドアパネル４ａの背面側のドアロック装置を操作してそのロックを解除し、ドアパネル４ａを手動で開放する。
【００２０】
ドアロック装置の解除操作後には操作孔６から操作具Ｍを抜き取る。そして操作具Ｍを抜き取った後に、蓋体８をドアパネル４ａの前面に沿って下方に回動し、操作孔６を密閉する。
【００２１】
蓋体８は、単にピン９を介してドアパネル４ａの前面に回動可能に取り付けるだけでよく、このため既設のエレベータであっても、大幅な改造を要することなく、ごく簡単に短時間で、かつ安価に取り付けることができ、エレベータの運行を停止する時間も短時間で済み、また美観を損ねるようなこともない。
【００２２】
図２には第２の実施形態を示してあり、この実施形態においては、ドアパネル４ａの前面に蓋体８がヒンジ１０を介してその前面に対して起伏する方向に回動可能に取り付けられている。
【００２３】
ヒンジ１０は操作孔６の上方の位置に配置し、通常時には図２（Ａ）に示すように、蓋体８がヒンジ１０の下方側に回動してドアパネル４ａの前面に密着する状態に支持され、この蓋体８により操作孔６が密閉されている。
【００２４】
この実施形態においても、前記第１の実施形態の場合と同様に、通常時にはドアパネル４ａの操作孔６が蓋体８で密閉されており、このためエレベータホールと昇降路との間の気密性を高めることができ、したがってエレベータホールで火災が発生した際の煙がエレベータホールから昇降路内に流入して火勢を強めてしまうような事態を避けることができる。
【００２５】
一方、保守点検時や停電等の非常時に、手動でドアロック装置を解除してドアパネル４ａを開くときには、図２（Ｂ）に示すように、蓋体８を手先で手前側に引いて蓋体８をヒンジ１０を支点に起立させる。
【００２６】
これにより操作孔６が開放されるから、この操作孔６内にエレベータホール側から解除操作具Ｍを差し込み、この操作具Ｍでドアパネル４ａの背面側のドアロック装置を操作してそのロックを解除し、ドアパネル４ａを手動で開放する。
【００２７】
ドアロック装置の解除操作後には操作孔６から操作具Ｍを抜き取る。そして操作具Ｍを抜き取った後に、蓋体８を下方に回動し、ドアパネル４ａの前面に密着するように倒伏させて操作孔６を密閉する。
【００２８】
この場合においても、蓋体８は、単にヒンジ１０を介してドアパネル４ａの前面に起伏動可能に取り付けるだけでよく、このため既設のエレベータであっても、大幅な改造を要することなく、ごく簡単に短時間で、かつ安価に取り付けることができ、エレベータの運行を停止する時間も短時間で済み、また美観を損ねるようなこともない。
【００２９】
図３には第３の実施形態を示してあり、この実施形態においては、ドアパネル４ａの背面に蓋体８がヒンジ１０を介してその背面に対して起伏する方向に回動可能に取り付けられている。
【００３０】
ヒンジ１０は操作孔６の上方の位置に配置し、通常時には図３（Ａ）に示すように、蓋体８が自重でヒンジ１０の下方側に回動してドアパネル４ａの背面に密着する状態に支持され、この蓋体８により操作孔６が密閉されている。
【００３１】
この実施形態においても、前記第１の実施形態の場合と同様に、通常時にはドアパネル４ａの操作孔６が蓋体８で密閉されており、このためエレベータホールと昇降路との間の気密性を高めることができ、したがってエレベータホールで火災が発生した際の煙がエレベータホールから昇降路内に流入して火勢を強めてしまうような事態を避けることができる。
【００３２】
保守点検時や停電等の非常時に、手動でドアロック装置を解除してドアパネル４ａを開くときには、図３（Ｂ）に示すようにエレベータホール側から操作孔６に解除操作具Ｍを差し込む。この差し込みに応じて、操作具Ｍにより蓋体８が押圧され、この押圧で蓋体８がヒンジ１０を支点にドアパネル４ａの背面から離れて起立するように回動し、したがって操作具Ｍを所定の奥方まで差し込むことができる。そしてこの操作具Ｍでドアパネル４ａの背面側のドアロック装置を操作してそのロックを解除し、ドアパネル４ａを手動で開放する。
【００３３】
ドアロック装置の解除操作後に、操作具Ｍを操作孔６から抜き取った際には、蓋体８がヒンジ１０を介して自重で下方に回動し、ドアパネル４ａの背面に密着するように倒伏して自動的に操作孔６が密閉される。
【００３４】
このようにこの実施形態の場合には、蓋体８を指先で操作することなく、単に操作具Ｍを操作孔６に差し込むだけで蓋体８を開いてドアロック装置のロック解除操作を行なえる。そして操作具Ｍを操作孔６から抜き取る動作で蓋体８を自動的に閉じて操作孔６を密閉することができる。
【００３５】
蓋体８は、単にヒンジ１０を介してドアパネル４ａの背面に起伏動可能に取り付けるだけでよく、このため既設のエレベータであっても、大幅な改造を要することなく、ごく簡単に短時間に、かつ安価に取り付けることができ、エレベータの運行を停止する時間も短時間で済む。そして特にこの実施形態の場合には、蓋体８がドアパネル４ａの背面に取り付けられ、エレベータホール側に露出することがなく、このため良好な美観を保持することができる。
【００３６】
図４には第４の実施形態を示してあり、この実施形態においては、蓋体８が図４（Ｂ）に示すように、円板状の摘み部８ａと円柱状の嵌合部８ｂとを有するキャップ状に形成され、その嵌合部８ｂが図４（Ａ）に示すように、ドアパネル４ａの前面から操作孔６内に脱着可能に嵌合され、この蓋体８により操作孔６が密閉されている。
【００３７】
この実施形態においても、通常時にはドアパネル４ａの操作孔６が蓋体８で密閉されており、このためエレベータホールと昇降路との間の気密性を高めることができ、したがってエレベータホールで火災が発生した際の煙がエレベータホールから昇降路内に流入して火勢を強めてしまうような事態を避けることができる。
【００３８】
保守点検時や停電等の非常時に、手動でドアロック装置を解除してドアパネル４ａを開くときには、図４（Ｂ）に示すように、まず、操作孔６から蓋体８を抜き取って外し、次にエレベータホール側から操作孔６に解除操作具Ｍを差し込み、この操作具Ｍでドアパネル４ａの背面側のドアロック装置を操作してそのロックを解除し、ドアパネル４ａを手動で開放する。
【００３９】
ドアロック装置の解除操作後には操作孔６から操作具Ｍを抜き取る。そして操作具Ｍを抜き取った後に、蓋体８の嵌合部８ｂを操作孔６に嵌合して蓋体８をドアパネル４ａに取り付け、操作孔６を密閉する。
【００４０】
この場合においても、単に蓋体８を操作孔６に嵌合して取り付けるだけでよく、このため既設のエレベータであっても、大幅な改造を要することなく、ごく簡単に短時間で、かつ安価に取り付けることができ、エレベータの運行を停止する時間も短時間で済み、また美観を損ねるようなこともない。
【００４１】
なお、この発明は、両開き式のドア装置に適用する場合に限らず、１枚のドアパネルからなる片開き式のドア装置や複数枚のドアパネルからなる片開き式のドア装置であっても同様に適用することができる。
【図面の簡単な説明】
【００４２】
【図１】この発明の第１の実施形態に係るホールドア装置の要部を示す斜視図。
【図２】この発明の第２の実施形態に係るホールドア装置の要部を示す斜視図。
【図３】この発明の第３の実施形態に係るホールドア装置の要部を示す斜視図。
【図４】この発明の第４の実施形態に係るホールドア装置の要部を示す斜視図。
【図５】従来のホールドア装置を示す斜視図。
【符号の説明】
【００４３】
１…エレベータホール
２…三方枠
３…乗降口
４…ホールドア装置
５…ドアロック装置
６…操作孔
８…蓋体
９…ピン
１０…ヒンジ
Ｍ…解除操作具
【図１】
2005096920.tif 000003
【図２】
2005096920.tif 000004
【図３】
2005096920.tif 000005
【図４】
2005096920.tif 000006
【図５】
2005096920.tif 000007